(57)【特許請求の範囲】
【請求項１】
住宅の建築物の押入れに組み込んで構築される防災シェルターの構築方法であって、
既存の押入れに中板がある場合は、該中板を解体する工程と、
前記押入れの床面を開放して開口面を形成し、床下の地表面を露出させる工程と、
該床下の地表面に基礎部を設置する工程と、
該基礎部上から前記押入れ内に一又は複数の脚部を立設する工程と、
前記押入れの中板として、または、中板の一部として前記脚部の上端に支持された天板を設ける工程とを含むことを特徴とする防災シェルターの構築方法。
【発明の詳細な説明】
【技術分野】
【０００１】
本発明は、費用面及び安全面において有効な耐震補強化の具体的対策をとることのできる防災シェルター及び該防災シェルターの構築方法に関する。
【背景技術】
【０００２】
我が国は、地震の多発地帯であり、かねてより国民への防災教育が行われており、また、現在、いつ発生するか不明である地震に対し、建築物を耐震補強化する等の具体的な対策を講じる取り組みが進められている。しかしながら、このような耐震補強化対策は、特に一般住宅等において、耐震リフォームの費用等の諸事情によりそれ程普及していないのが実情である。
【０００３】
一方で、耐震リフォームに掛かる多額の費用負担を鑑みれば、一般住宅等の建築物の一部、例えば、押入れ等を耐震補強化することにより、それ程費用を掛けず、かつ、安全に被災者が避難することのできる以下のような対策を講じることは、費用面及び安全面の観点から有効である。
【０００４】
例えば、押入れ等に収納設置可能であって、安定性と安全性を実現できる複数ハッチ略箱型シェルターが開示されている。該複数ハッチ略箱型シェルターは、押入れ等の下段に設置可能なサイズの箱型で出入口のハッチを少なくとも二つ備えたという構成により、家屋内に場所を取ることなく収納設置することができ、また、安全に避難することができるという効果を奏している（特許文献１）。
【０００５】
また、住宅を新築する際、押入れやクローゼット、廊下等、普段生活をしている場所及び寝室等の緊急避難を行い易い場所を構築するにあたって、該場所の壁面を耐震壁にて組み立て、正面を開口させたボックス状に形成することにより、地震等の際、崩壊することのない避難ボックスを設けた住宅が開示されている。また、該避難ボックスを設けた住宅では、押入れの床下の地中に基礎を構築し、該基礎上にも避難ボックスを設けて、該押入れの床下から避難口を通じて避難できることが開示されている（特許文献２）。
【先行技術文献】
【特許文献】
【０００６】
【特許文献１】特開２０１５−１９３３７３号公報
【特許文献２】特開２００１−１１５６６２号公報
【発明の概要】
【発明が解決しようとする課題】
【０００７】
しかしながら、特許文献１に記載の技術では、シェルターの出入口が床面から高いところで手狭に形成されているため、被災者、特に高齢者にとって避難が困難であるという問題があった。また、シェルターを押入れの下段に収納できるものの、該下段には通常日用品を全く収納することができず、平時にはデッドスペースとなり、また、ふすまを開いた状態では該シェルターが露出してしまって見栄えが悪く、平時における意匠性を欠くという問題もあった。
【０００８】
また、特許文献２に記載の技術では、住宅を新築する際に、押入れの壁面として予め耐震壁を組み立てなければならず、また、住宅を耐震補強化のための改装をするに際しても、地中に改めて基礎を構築し、さらに、既存の壁面や天井を解体した上で耐震壁を改めて組み立てなければならず、大掛かりな改装工事を要するため、工期が長期化し、また、費用負担も増大するという問題があった。
【０００９】
そこで、本発明は、費用面及び安全面において有効な耐震補強化の具体的対策であり、従来技術より平易な改装作業によって住宅等の建築物等の収納スペースや室内の一部等を容易に耐震補強化でき、また、平時の意匠性にも優れた防災シェルター及び該防災シェルターの構築方法を提供することを課題とした。
【課題を解決するための手段】
【００１０】
上記課題を解決するために、本発明は次のように構成した。すなわち、本願が開示する防災シェルターの一形態は、住宅等の建築物の押入れ若しくはクローゼット等の収納スペース又は室内の一部に組み込んで構築される防災シェルターであって、前記収納スペースの床面又は室内の一部の床面を開放して開口面が形成され、床下の地表面を露出した状態で、該床下の地表面に設置された基礎部と、該基礎部上から前記収納スペース内又は室内に立設された一又は複数の脚部と、前記一又は複数の脚部の上端で支持された天板とからなることを特徴としている。
【００１１】
また、本願が開示する防災シェルターの別形態は、前記住宅等の建築物の押入れに組み込んで構築される防災シェルターであって、前記天板は、前記一又は複数の脚部の上端で支持されて前記押入れの中板として、又は、中板の一部として設けられてなることを特徴としている。
【００１２】
また、本願が開示する防災シェルターの別形態は、前記開口面が、前記収納スペースの床面又は室内の一部の床面に四角形状に開口して形成されるとともに、前記基礎部上には、該四角形状の開口面の奥行及び横幅の略長さに応じて形成された四角枠状の底板が設けられ、該底板が、前記開口面の奥行又は横幅の略長さを長辺とした夫々一対の台形状の底板部材を、夫々台形状の短辺を内側にして台形の脚を接することにより四角枠状に形成され、前記一又は複数の脚部が、該底板上から立設されてなることを特徴としている。
【００１３】
また、本願が開示する防災シェルターの別形態は、前記開口面が、前記収納スペースの床面又は室内の一部の床面に四角形状に開口して形成され、前記脚部が、前記基礎部上から前記開口面の四隅に沿って立設された四本の脚部と、前記基礎部上から前記開口面の横幅中央近傍に沿って立設された対向する二本の脚部との計六本の脚部で構成されてなることを特徴としている。
【００１４】
また、本願が開示する防災シェルターの別形態は、前記天板が、四角形状に形成され、長手方向両端が下方に屈曲した断面視略コ字型に形成されてなることを特徴としている。
【００１５】
さらに、本発明に係る請求項１に記載の防災シェルターの構築方法は、住宅の建築物の押入れに組み込んで構築される防災シェルターの構築方法であって、既存の押入れに中板がある場合は、該中板を解体する工程と、前記押入れの床面を開放して開口面を形成し、床下の地表面を露出させる工程と、該床下の地表面に基礎部を設置する工程と、該基礎部上から前記押入れ内に一又は複数の脚部を立設する工程と、前記押入れの中板として、または、中板の一部として前記脚部の上端に支持された天板を設ける工程とを含むことを特徴としている。
【発明の効果】
【００１６】
段落「００１０」に記載の構成よりなる、防災シェルターによれば、住宅等の建築物の壁面又は天井等を解体することなく、平易な改装作業によって住宅等の建築物の前記収納スペース又は室内の一部を耐震補強化することができる。また、住宅等の建築物を新築する際であっても、前記収納スペース又は室内の一部を構築する際に該防災シェルターを組み込むことにより、平易な作業によって該収納スペース又は室内の一部を耐震補強化することができる。
【００１７】
また、該防災シェルターによれば、瓦礫や飛散物等による衝撃又は重圧に対する前記収納スペースの強度を向上させることができるため、地震等の災害の際、被災者が該防災シェルター内に避難すれば安全に自身の身を守ることができ、また、床下の地表面に基礎部を設けたため、地震等の揺れに対する安定性にも優れるため、被災者の身をより安全に守ることができる。
【００１８】
また、該防災シェルターは、前記収納スペース又は室内の一部の床面から床下へ掘り下げた構造であるため、住宅等、建築物の室内の床面から防災シェルター内に下りるようにして避難することができ、高齢者又は身体障害者であってもスムーズに避難することができる。
【００１９】
また、段落「００１１」に記載の構成よりなる、押入れに構築した防災シェルターによれば、前記天板を中板として、該押入れ中板より下方の前記押入れ下段にのみ防災シェルターを構築したため、押入れ全体を耐震補強化するのに比べ、瓦礫や飛散物等の侵入を防止することができ、また、改装作業の工期を短く、かつ、コスト負担も軽減でき、さらに、該防災シェルターの高さを中板までと比較的低く構築することで、押入れ全体の高さで構築するよりも該防災シェルターの強度も向上でき、より安全に被災者の身を守ることができる。
【００２０】
また、段落「００１２」に記載の構成よりなる、防災シェルターによれば、前記四角枠状の底板を設けたことにより、該防災シェルター全体の強度が向上するのはもとより、特にねじれ方向に対する強度が向上するため、上方からだけでなく斜め方向等からの瓦礫や飛散物等による衝撃又は重圧に対しても強度を向上させることができ、被災者が該防災シェルター内でより安全に身を守ることができる。
【００２１】
また、前記四角枠状の底板は、前記開口面の奥行又は横幅の長さに応じて長辺を形成した夫々一対の台形状の底板部材を、台形状の短辺を内側に夫々台形状の台形の脚を接するようにして形成可能としたことにより、住宅等の建築物の室内から前記収納スペース又は室内の一部の床下に対して特に狭さを感じることなく施工性に優れ、該底板を形成する作業効率を向上させることができる。
【００２２】
また、段落「００１３」に記載の構成よりなる、防災シェルターによれば、前記脚部を四隅だけでなく横幅中央近傍にも対向する二本の脚部を設けたことにより、前記天板に対する衝撃や重圧に対してバランスよく強度を向上させることができるとともに、特に高齢者又は身体障害者にとっては前記横幅中央近傍の脚部を把持して防災シェルター内に避難できるため、スムーズかつ安全に該防災シェルター内に避難することができる。また、前記横幅中央近傍の二本の脚部によれば、瓦礫や飛散物等の防災シェルター内への侵入も防ぐことができる。
【００２３】
また、段落「００１４」に記載の構成よりなる、防災シェルターによれば、前記天板の長手方向の端部を断面視コ字型に屈曲させたことにより、該天板の瓦礫や飛散物等の衝撃に対する強度を向上させることができ、被災者が防災シェルター内でより安全に身を守ることができる。
【００２４】
さらに、請求項１に記載の防災シェルターの構築方法によれば、住宅の建築物の壁面又は天井等を解体することなく、平易な改装作業によって住宅等の建築物の押入れを容易に耐震補強化することができる。これにより、耐震補強化の具体的対策を講じるべく多大な費用を掛けることなく、費用面及び安全面に優れた防災シェルターを構築することができる。
【００２５】
また、上記に記載の防災シェルターは、いわゆる防災に特化したシェルターという程の重厚感に満ちた外観ではなく、特に前記収納スペースに構築した場合において、通常住宅に構築されるような該収納スペースの内装と遜色ないため、平時の意匠性においても優れている。また、該防災シェルター内に避難スペースを確保しておけば、被災グッズのみならず通常日用品であっても該防災シェルター内に収納可能である。
【図面の簡単な説明】
【００２６】
【図１】本発明に係る防災シェルターを示す斜視図である。
【図２】四角枠状の底板を示す底面図である。
【図３】防災シェルターの構築方法の第一及び第二工程を示す図である。
【図４】第三工程を示す図である。
【図５】第四工程を示す図である。
【図６】第五工程を示す図である。
【発明を実施するための形態】
【００２７】
以下、図面に基づいて本発明を具体的に説明する。まず、図１は、本発明に係る防災シェルター１を示す斜視図である。防災シェルター１は、基本的な構造として、床下の地表面に設置された基礎部２と、該基礎部２上から上方へ立設された複数の脚部３と、該複数の脚部３の上端に設けられた天板４とから構成されている。なお、本実施例では、押入れＸ若しくはクローゼット等の収納スペース又は室内の一部のうち、押入れＸに防災シェルター１を構築した場合について説明する。なお、図中の符号Ｙは、室内の床面を示す。
【００２８】
前記基礎部２は、押入れＸの床面全体を開放して四角形状の開口面を形成し、押入れＸ内から地表面を露出させた後、押入れＸの奥行α及び横幅βの略範囲で該地表面にコンクリート型枠を構築し、該型枠内にコンクリートを打設することによって設置される。或いは、該略範囲に設置可能なコンクリートブロックを予め外部で形成してから地表面に設置してもよい。このように、床下の地表面に基礎部２を設けたことにより、地震等の揺れに対する防災シェルター１自体の安定性が増し、被災者の身をより安全に守ることができる。なお、該床下の地表面は、土砂等からなる地表面だけでなく、床下に建築物の基礎コンクリート等が露出する場合には、その基礎コンクリートの表面を表すものであり、床下の地表側の面を意味するものである。
【００２９】
前記複数の脚部３は、基礎部２上に、押入れＸの四隅に沿って立設された四本の脚部３と押入れＸの横幅βの中央近傍に沿って立設された二本の脚部３との計六本の脚部３で構成されている。該脚部３は、天板４を支持することができれば、天板４の中央近傍中央に一本の脚部３を設けることも可能であるが、本防災シェルター１における耐震補強化の観点から、少なくとも押入れＸの四隅の四本の脚部３を設けるのが好ましく、さらに、本実施例のように押入れＸの横幅βの中央近傍の二本の脚部３を設けて計六本とするのがよい。
【００３０】
また、該押入れＸの四隅に当接するかのように沿って前記四本の脚部３を立設することにより、押入れＸの下段を避難スペースとして十分に広く有効に利用することができ、また、平時には避難スペースを確保した上で避難グッズや通常日用品等を収納することもできる。
【００３１】
また、該押入れＸの横幅βの中央近傍に沿って押入れＸの開口側に脚部３を設けることにより、被災者はこれを把持して防災シェルター１内に避難することができるため、高齢者又は身体障害者であってもスムーズかつ安全に避難することができる。
【００３２】
前記天板４は、鋼製の板状で構成され、その長手方向の両側端部が夫々下方に垂直方向に屈曲した断面視略コ字型に形成されている。該天板４は、押入れＸ内の上段及び下段を分ける中板として取り付けられており、前記複数の脚部３によって該天板４が支持されている。また、天板４は、例えば、該天板４に木製の化粧板を被覆して中板の一部として取り付けたり、押入れＸの高さ方向中央近傍に設けた木製の中板本体の下面に沿って天板４を設け、該木製の中板本体を下方から支持する中板支持板のように中板の一部として取り付けたりしてもよく、通常、外観的な意匠性を考慮すれば、このように天板４を中板の一部として利用するのがよい。
【００３３】
このように防災シェルター１は、押入れＸの床下から押入れＸの中板よりも下段にかけて組み込んで構築されるものであり、押入れＸ全体を耐震補強化するのに比べ、瓦礫や飛散物等の侵入を防止することができ、また、改装作業の工期を短く、かつ、コスト負担も軽減でき、さらに、該防災シェルター１の高さを中板までと低く構築することで、押入れＸ全体の高さで構築するよりも該防災シェルター１の強度を確保することができる。
【００３４】
さらに、本発明に係る防災シェルター１は、図１に示すように、前記のような基本的な構造以外にも、前記基礎部２上に敷設された断熱材５と、該断熱材５の上面に設けられる床板６と、基礎部２上の側端から上方に前記押入れＸの壁面に沿うように立設された床下側壁７と、前記複数の脚部３の下端で前記断熱材５の上面に設けられる四角枠状の底板８とが構成されている。
【００３５】
前記断熱材５は、断熱材の押出法ポリスチレンフォームによって構成されており、また、断熱材５とは別の保温材を設けてもよい。基礎部２上に該断熱材５又は保温材を敷設したことにより、防災シェルター内の室温を比較的快適に維持でき、特に冬等の体温が低下しやすい避難状況において、被災者の体力をできるだけ低下させない避難環境をつくることができる。なお、断熱材５の上面及び底板８の上面には、防災シェルター１の床面となる床板６が、前記脚部３がある部分を除いて敷設されている。
【００３６】
前記床下側壁７は、押入れＸの床下で防災シェルター１の側面をカバーするものであり、前記基礎部２上から前記押入れＸ床面を開放したその開口面の側端にかけ、該防災シェルター１の床下の四方側面に設けられている。該床下側壁７によれば、床下の側面方向からの鼠や害虫等の侵入を防止するとともに、隙間風、飛散物又は瓦礫等から被災者を保護することができる。また、該床下側壁７内にも前記断熱材５又は保温材を設けてもよい。
【００３７】
前記底板８は、前記押入れの奥行α及び横幅βの略長さに沿って形成された四角枠状で、前記断熱材５の上面に設けられており、複数の脚部３が底板８上から押入れＸ内に立設されている。したがって、前記基礎部２上に脚部３を立設するとは、基礎部２の上面に直接脚部３を立設する場合だけでなく、基礎部２と脚部３の間に底板８という他の部材を介在させる場合を含み、基礎部２の上方にといった意味合いで表すものである。
【００３８】
該底板８は、図２に示すように、前記押入れの奥行α又は横幅βの略長さを長辺とした台形状の夫々一対の底板部材８ａを、該台形状の短辺を内側にして隣り合う台形の脚を互いに接するようにすることにより四角枠状に形成されている。これにより、室内の床面Ｙからでも押入れＸ内の床下で狭さを感じることなく施工性に優れ、容易に四角枠状の底板８を基礎部２上に設けることができる。
【００３９】
このように構成した防災シェルター１によれば、住宅等の建築物の壁面又は天井等を解体することなく、平易な改装作業により押入れＸに防災シェルター１を組み込んで容易に耐震補強化することができる。また、瓦礫や飛散物等による衝撃又は重圧に対する前記収納スペースの強度を向上させることができるため、地震等の災害の際、被災者が該防災シェルター１内に避難すれば安全に自身の身を守ることができる。さらに、外観上も改装以前の押入れＸと遜色がなく、平時の意匠性にも優れている。
【００４０】
また、該防災シェルター１は、押入れＸの床面から床下へ掘り下げた構造であるため、住宅等、建築物の室内の床面Ｙから防災シェルター１内に下りるようにして避難することができ、高齢者又は身体障害者であってもスムーズに避難することができる。
【００４１】
次に、図３乃至図６を用いて、前記防災シェルター１の基本的な構築方法について、以下にその手順を具体的に説明する。
【００４２】
まず、図３に示すように、押入れＸの既存の中板を解体し取り外すことにより、防災シェルター１の構築にかかる作業スペースを確保する（第一工程）。その後、押入れＸの下段床面の全面を開放して四角形状の開口面を形成し、床下の地表面を露出させる（第二工程）。なお、該図３は、中板及び押入れＸの床面自体は図示せず、既にこれらを取り外し又は開放した状態を示すものである。また、該中板は、一般的な日本家屋にあるような押入れＸの高さ方向中央近傍に設けられ、上段収納ペース及び下段収納スペースを分割するものである。
【００４３】
次に、図４に示すように、前記床下の地表面に基礎部２を構築する（第三工程）。該基礎部２は、床下の地表面に前記開口面の幅に応じてコンクリート型枠を形成し、該型枠にコンクリートを打設して形成される。或いは、予め構築したコンクリートブロック等を外部から運搬し、該地表面に設置してもよい。該コンクリートブロックが前記開口面の広さよりも大きくなる場合には、小さく複数に分割したコンクリートブロックを形成し、床下に運搬した後に組み立てて基礎部２を構築してもよい。
【００４４】
次に、図５に示すように、押入れＸの四隅に沿って立設された四本の脚部３と押入れＸの横幅βの中央近傍に沿って立設された対向する一対の二本の脚部３の計六本の脚部３を基礎部２上から立設する（第四工程）。
【００４５】
ところで、前記実施例における図１に表示の断熱材５、床板６及び床下側壁７及び底板８を、本構築方法において取り付ける場合には、該複数の脚部３を設ける前後に、その取り付け工程を行う。
【００４６】
具体的には、図３に示した前記基礎部２を床下の地表面に打設した後、図１に示すように、まず、前記床下側壁７を該基礎部２から前記開口面の側端にかけて四方側面に設ける。そして、前記基礎部２の上面に断熱材５を敷設した上で、該断熱材５上に前記図２の底板８を各台形状の底板部材８ａを組み立てることによって設置した後、該底板８上から前記六本の脚部３を立設する。その後、断熱材５の上面及び底板８のうち複数の脚部３が立設された面を除いた上面に、該脚部３に応じる部分が切り欠かれた床板６を敷設する。
【００４７】
最後に、図６に示すように、前記各脚部３の上端によって支持された天板４を中板として、前記既存の中板のあった高さに設ける（第五工程）。なお、前記押入れＸの中板は取り外さず、該中板の下面に沿うようにして天板４を設けることも可能であるが、該中板を取り外してから作業した方が作業スペースを確保でき、施工性が高まる。この後、仕上げとして天板４の上面に木製の化粧板を被覆する。また、該天板４を設ける高さは、既存の中板のあった高さに限られるものではなく、天板４の下方に避難スペースを確保できれば所望の高さに設定可能である。
【００４８】
このように防災シェルター１を構築すれば、既存の建築物の押入れＸの側壁や天井等を解体する等の大掛かりな改装工事を行うことなく、平易に耐震補強化して避難可能な箇所を家屋内に設置することができ、費用面及び安全面からも有効に耐震補強の具体的対策をとることができる。さらに、外観上も改装以前の押入れＸと遜色がなく、平時の意匠性にも優れている。
【００４９】
次に、前記図１に示す防災シェルター１につき、構造計算の結果を以下に説明する。
【００５０】
本計算では、前記押入れＸの四隅に沿って立設された四本の脚部及び押入れＸの横幅βの中央近傍に沿って対向する二本の脚部の計六本の脚部３を設けた防災シェルター１において、該複数の脚部３の素材として、サイズ（Ｂ×Ｄ＝７５ｍｍ×７５ｍｍ）、厚み（ｔ＝３．２ｍｍ）、断面積（Ａ＝８．９２７ｃｍ2）、断面係数（Ｚ＝２０．１ｃｍ3）、断面二次モーメント（Ｉ＝７５．５ｃｍ4）、断面二次半径（ｉ＝２．９１ｃｍ）、材料強度（Ｆ＝２３５Ｎ／ｍｍ2）、長期許容応用力度（ｆｔ＝１５７Ｎ／ｍｍ2）、細長比（λ＝長さ１２５．８ｍｍ／２．９１＝４３．２）、そして、引張強度（ｆｃ＝１４１Ｎ／ｍｍ2）である鉄骨角形鋼管（ＳＴＫＲ４００）を用い、垂直荷重に対する構造計算を行った。
【００５１】
当該構造計算の結果、前記複数の脚部３のうち一本の脚部３が負担できる最大重量は、Ｐ＝８．９２７×１００×１４１＝１２５８７０．７Ｎ＝１２５．９ＫＮ（１２．８ｔ）であり、前記脚部３は計六本であるから、前記防災シェルター１全体で負担できる最大重量は、ΣＷ＝１２５．９×６＝７５５．４ＫＮ（７７．１ｔ）であることが分かった。
【００５２】
以上のことから、本発明に係る防災シェルター１は、垂直荷重に対して７７．１トンもの負荷に耐えることができ、瓦礫や飛散物等の衝撃や重圧に対して十分に有効な強度を有し、地震等の際、被災者が安全に避難することができることが分かった。
【００５３】
さらに、本発明に係る防災シェルター１は、前記底板８を前記脚部３の下端に設けたことにより、垂直荷重に対する強度だけでなく、ねじれ方向に対する強度にも優れ、また、前記断面視略コ字型に形成したことにより強度を向上させた天板２により、安全に被災者の身を守ることができる。
【００５４】
前記実施例では、防災シェルター１は、既存の住宅の押入れＸに後付けで設けたが、その他クローゼット又は玄関の靴箱等の収納スペースや、室内の一部に設けることも可能である。該室内の一部に防災シェルター１を構築する際には、その構築する範囲で床面を開放し、前記押入れＸと同様に基礎部２から防災シェルター１を構築するとともに、前記実施例では押入れＸの中板として利用した天板４は、化粧板等により被覆してもよく、装飾品の展示棚や机の天板等として利用することが可能である。
【００５５】
本発明に係る防災シェルター１は、前記実施例では、既存の住宅等の建築物に改装工事によって後付けで構築するものであるが、該建築物の新築の際に、押入れＸ若しくはクローゼットの収納スペース又は室内の一部等に防災シェルター１を組み込んで建築可能であることは言うまでもない。この際、該押入れＸ等の収納スペース又は室内の一部等の床面は設けずに開放して床下の地表面を露出させておき、また、既存の押入れＸである場合には中板を予め設けず、前記基礎部２等を構築した後に天板４を中板等とすることにより、平易な作業によって容易に防災シェルター１を押入れＸに組み込んで耐震補強化することができる。
【符号の説明】
【００５６】
１    防災シェルター
２    基礎部
３    脚部
４    天板
５    断熱材
６    床板
７    床下側壁
８    底板
８ａ  底板部材
Ｘ    押入れ
Ｙ    床面
α    奥行
β    横幅
【図１】
0006538551.tif 000002
【図２】
0006538551.tif 000003
【図３】
0006538551.tif 000004
【図４】
0006538551.tif 000005
【図５】
0006538551.tif 000006
【図６】
0006538551.tif 000007